(57)【要約】【課題】汚水の回収、床面残存物処理などの作業性の悪さを改善し、床面洗浄・補修作業を簡便に且つ短時間で効率的に行うことができる洗浄方法、並びに作業時の引火性及び臭いの点でより優れた洗浄方法を提供すること。【解決手段】８．０〜９．８の溶解性パラメーターを持つ溶剤（Ａ）及び１０〜１５の溶解性パラメーターを持つ溶剤（Ｂ）を含有する洗浄用組成物を用いて合成樹脂ワックス等を塗布した被洗浄物を洗浄する方法において、該洗浄用組成物の含有水分量が１０重量％以下の状態で被洗浄物に塗布した後にワックス剥離装置で合成樹脂ワックス等を剥離させる洗浄方法。【選択図】選択図なし【特許請求の範囲】
【請求項１】
８．０〜９．８の溶解性パラメーターを持つテルペン系炭化水素および／または炭化水素系溶剤（Ａ）と、１０〜１５の溶解性パラメーターを持つ１個以上のヒドロキシル基を持つアルコールおよび／またはエステル系溶剤（Ｂ）を含有する洗浄用組成物を用いてワックスを塗布した被洗浄物を洗浄する方法において、該洗浄剤組成物を含有水分量が１０重量％以下の状態で被洗浄物に塗布した後にワックス剥離装置でワックスを剥離させることを特徴とする洗浄方法。
【請求項２】
該洗浄用組成物を水で希釈せずに、あるいは水または水及び界面活性剤の混合液で含有水分量が１０重量％以下になるように希釈した後、被洗浄物に塗布することを特徴とする請求項１に記載の洗浄方法。
【請求項３】
テルペン系炭化水素が、ｄ−リモネン、ｌ−リモネンおよびｄｌ−リモネンから選ばれる少なくとも１種以上であることを特徴とする請求項１に記載の洗浄方法。
【請求項４】
成分（Ｂ）の該アルコールが、メタノール、エタノール、イソプロパノール、ｎ−プロパノールおよび変性アルコールから選ばれる少なくとも１種以上であることを特徴とする請求項１に記載の洗浄方法。
【請求項５】
成分（Ａ）の濃度が、５〜８０重量％であることを特徴とする請求項１または２に記載の洗浄方法。
【請求項６】
成分（Ａ）および／または成分（Ｂ）中に、消臭剤、脱臭剤、防臭剤および芳香剤から選ばれた１種以上を含有してなることを特徴とする請求項１または２に記載の洗浄方法。
【請求項７】
該洗浄用組成物を被洗浄物に塗布した後、３分以内の湿潤状態のままワックス剥離装置でワックスを剥離させることを特徴とする請求項１または２に記載の洗浄方法。
【請求項８】
被洗浄物が、ワックスを塗布した床であることを特徴とする請求項１〜７のいずれかに記載の洗浄方法
【請求項９】
ワックス剥離装置として、ポリッシャー、ローリングクリーナー、ハンディークリーナーおよびブラシの１種以上を用いることを特徴とする請求項１〜８のいずれかに記載の洗浄方法。
【発明の詳細な説明】
【技術分野】
【０００１】
本発明は、合成樹脂ワックス等を塗布した被洗浄物を洗浄する洗浄方法に関する。更に詳しくは、８．０〜９．８の溶解性パラメーターを持つ溶剤（Ａ）及び１０〜１５の溶解性パラメーターを持つ溶剤（Ｂ）を用いて合成樹脂ワックス等を塗布した被洗浄物を洗浄する際に汚水回収工程を必要としない効率的な床の洗浄方法に関する。
【背景技術】
【０００２】
コンビニエンスストア、スーパーマーケット、オフィスビル等で、化学床タイル、石床等が施工されている場合、床面を保護する目的から合成樹脂ワックス等をつや出し剤として塗布することが多い。この合成樹脂ワックス等を塗布した床面は時間の経過に伴って歩行などの擦り傷が発生し、あるいは汚れが付着して美観が損なわれる。このため汚れた合成樹脂ワックス等を洗浄により除去し、再度合成樹脂ワックス等を塗布して床面の美観を回復させる方法が一般的に用いられている。
この床面清掃作業は、床面に塗布されている合成樹脂ワックス等の皮膜を、洗浄剤を用いてブラッシングすることにより除去する方法で行われる。その洗浄剤として、従来はアルカリ成分を主体とし、これに界面活性剤及びビルダーを多量に含有させたものが使用されていた。従来の洗浄剤を用いた場合には、合成樹脂ワックス等を再塗布する前に床面洗浄に用いた汚水の回収、その後の床面残存物処理、残存アルカリの中和などの作業に手間がかかっていた。特に汚水の回収は排水処理の問題もあり、大きな解決課題である。
【０００３】
リモネン等のテルペン系炭化水素を含有する洗浄剤組成物は開示されている（例えば、特許文献１、２参照。）が、合成樹脂ワックス等を塗布した被洗浄物の洗浄剤として用いられることは開示されていない。また、合成樹脂ワックス等を塗布した床の洗浄剤が（例えば、特許文献３、４参照。）などに開示されているが、本発明の洗浄剤組成物とはまったく異なる組成物である。
本発明者らは、テルペン系炭化水素及びエタノール含有床洗浄剤組成物を該洗浄剤組成物の数倍量の水で希釈して用いる方法を提案している（例えば、特許文献５参照。）。該洗浄方法においては、洗浄剤組成物の合成樹脂ワックス等への浸透時間を長くかける必要があり、洗浄効率の点で更なる改良が望まれていた。
【特許文献１】特開平７−２７８５８９号公報
【特許文献２】特開平１１−９２７９５号公報
【特許文献３】特開平５−１４０５９６号公報
【特許文献４】特開２０００−３１１０９３号公報
【特許文献５】特開２００４−０３５６５１号公報
【発明の開示】
【発明が解決しようとする課題】
【０００４】
従来の洗浄剤に見られる、汚水の回収、床面残存物処理などの作業性の悪さを改善し、合成樹脂ワックス等を塗布した被洗浄物の洗浄作業を簡便に且つ短時間で効率的に行うことができるような洗浄方法を提供することである。
【課題を解決するための手段】
【０００５】
本発明者等は、前記課題を解決するため鋭意研究を重ねた結果、合成樹脂ワックス等を塗布した被洗浄物の合成樹脂ワックス等の剥離剤として８．０〜９．８の溶解性パラメーターを持つ溶剤（Ａ）及び１０〜１５の溶解性パラメーターを持つ溶剤（Ｂ）を用いることで、汚水回収の必要がなく効率的に合成樹脂ワックス等を剥離・回収することが可能であることを見出して本発明に到達した。
【０００６】
即ち、本発明は
１．  ８．０〜９．８の溶解性パラメーターを持つテルペン系炭化水素および／または炭化水素系溶剤（Ａ）と、１０〜１５の溶解性パラメーターを持つ１個以上のヒドロキシル基を持つアルコールおよび／またはエステル系溶剤（Ｂ）を含有する洗浄用組成物を用いてワックスを塗布した被洗浄物を洗浄する方法において、該洗浄剤組成物を含有水分量が１０重量％以下の状態で被洗浄物に塗布した後にワックス剥離装置でワックスを剥離させることを特徴とする洗浄方法。
２．  該洗浄用組成物を水で希釈せずに、あるいは水または水及び界面活性剤の混合液で含有水分量が１０重量％以下になるように希釈した後、被洗浄物に塗布することを特徴とする上記１に記載の洗浄方法、
３．  テルペン系炭化水素が、ｄ−リモネン、ｌ−リモネンおよびｄｌ−リモネンから選ばれる少なくとも１種以上であることを特徴とする上記１に記載の洗浄方法、
４．  成分（Ｂ）の該アルコールが、メタノール、エタノール、イソプロパノール、ｎ−プロパノールおよび変性アルコールから選ばれる少なくとも１種以上であることを特徴とする上記１に記載の洗浄方法、
５．  成分（Ａ）の濃度が、５〜８０重量％であることを特徴とする上記１または２に記載の洗浄方法、
６．  成分（Ａ）および／または成分（Ｂ）中に、消臭剤、脱臭剤、防臭剤および芳香剤から選ばれた１種以上を含有してなることを特徴とする上記１または２に記載の洗浄方法、
７．  該洗浄用組成物を被洗浄物に塗布した後、３分以内の湿潤状態のままワックス剥離装置でワックスを剥離させることを特徴とする上記１または２に記載の洗浄方法、
８．  被洗浄物が、ワックスを塗布した床であることを特徴とする上記１〜７のいずれかに記載の洗浄方法、
９．  ワックス剥離装置として、ポリッシャー、ローリングクリーナー、ハンディークリーナーおよびブラシの１種以上を用いることを特徴とする上記１〜８のいずれかに記載の洗浄方法、
である。
【発明の効果】
【０００７】
本件発明の洗浄方法は、市販剥離剤を数倍の水で希釈して用いる通常の洗浄方法に比べて、汚水の回収が不要で、且つ洗浄剤を被洗浄物に塗布した後、浸透時間を置くことなく湿潤状態のままワックス剥離装置でワックスを剥離させることが可能であり、洗浄剤塗布後の放置時間がほとんど必要なく、ポリッシング時間・剥離物除去時間も短くなり、非常に効率的な合成樹脂ワックスを塗布した被洗浄物の洗浄方法である。
【発明を実施するための最良の形態】
【０００８】
本発明について、以下具体的に説明する。
本発明は、８．０〜９．８の溶解性パラメーターを持つテルペン系炭化水素および／または炭化水素系溶剤（Ａ）と、１０〜１５の溶解性パラメーターを持つ１個以上のヒドロキシル基を持つアルコールおよび／またはエステル系溶剤（Ｂ）を用いて合成樹脂ワックスを塗布した被洗浄物を洗浄する方法に関する。
本発明で用いる成分（Ａ）は、溶解性パラメータが８．０〜９．８の範囲にある溶剤であれば何れも使用可能であるが、工業的に安価に入手可能な溶剤が好ましく、テルペン系炭化水素および炭化水素系溶剤がある。炭化水素系溶剤の例としてはトルエン、キシレン、エチルベンゼン、プロピルベンゼン、クメン、メシチレン、ジエチルベンゼン、スチレンである。テルペン系炭化水素としては、ミルセン、セレン、オシメン、ピネン、リモネン、カンフェン、テルピノーレン、トリシクレン、テルピネン、フェンチェン、フェランドレン、シルベストレン、サピアン、ｐ−メンテン−１、ｐ−メンテン−３、ｐ−サイメン、ｐ−メンタンなどを用いることができるが、好ましくはα−ピネン、β−ピネン、リモネン、ｐ−メンテン−１、ｐ−メンテン−３、ｐ−サイメン、ｐ−メンタンであり、最も好ましくはリモネンである。
【０００９】
本発明で用いるリモネンとしては、合成リモネン、天然リモネン、更にリモネンを主成分とする天然精油、例えばオレンジオイル、レモンオイル、グレープフルーツオイル、マンダリンオイル、タンジェリンオイル等を使用できる。環境上からは、柑橘類から得られるｄ−リモネンを主成分としたものが更に好ましい。
これらの溶剤（Ａ）は一種以上が、用いられる。
本発明で用いる成分（Ｂ）は、溶解性パラメータが１０〜１５の範囲にある溶剤であれば何れも使用可能であるが、工業的に安価に入手可能な溶剤が好ましく、その例としては１個以上のヒドロキシル基を持つアルコール系溶剤、エステル類などである。
【００１０】
１個以上のヒドロキシル基を持つアルコールとしては、例えばメタノール、エタノール、変性アルコール、プロパノール、ブタノール、ペンタノール、ヘキサノール、ヘプタノール、オクタノール、ドデカノール、シクロヘキサノールなど１個のヒドロキシル基を持つ脂肪族アルコール、エチレングリコール、プロピレングリコール、トリメチレングリコール、トリエチレングリコール、テトラエチレングリコール、液状のポリエチレングリコール、ジエチレングリコール、ジプロピレングリコールなど２個のヒドロキシル基を持つ脂肪族アルコール、グリセリンなど３個のヒドロキシル基を持つ脂肪族アルコール、及びジエチレングリコールモノメチルエーテル、ジエチレングリコールモノエチルエーテル、ジエチレングリコールモノメチルエーテル、ジエチレングリコールモノエチルエーテルなどのアルコールを使用することができる。その中でも、工業的に多く生産されており、安価で使い易いエタノール、メタノール、イソプロパノール、変性アルコール及びそれらの混合アルコールが好ましい。また、実使用上においては、引火点と臭いの点で改良が必要とされる場合がある。引火点が２０℃以上のアルコール、例えば１−ブタノール、１−ペンタノール、エチレングリコール、プロピレングリコール、ジエチレングリコールなどを用いることがより安全で、臭いの点からはエチレングリコール、プロピレングリコール及びジエチレングリコールがより好ましい。床洗浄時の作業性、引火点、臭いなどの観点からエチレングリコール、プロピレングリコール、及びジエチレングリコールから選ばれる１種以上とその他の脂肪族アルコール、例えばエタノール、変性アルコール、１−プロパノール、２−プロパノール、１−ブタノール等を混合して使用することもできる。
【００１１】
各種エステルとしてはフタル酸ジメチル、フタル酸ジエチル、乳酸メチルが挙げられる。これらの溶剤（Ｂ）は一種以上が、用いられる。
本発明の洗浄方法において、成分（Ａ）：成分（Ｂ）の組成割合は、成分（Ａ）および（Ｂ）の合計量１００重量部に対して５〜８０重量部：９５〜２０重量部が好ましく、より好ましくは２５〜５０重量部：７５〜５０重量部である。
溶解性パラメータは、プラスチックの塗装・印刷便覧（発行日、昭和５８年１２月１０日、（株）総合技術出版）に挙げられたものが使用できる。
【００１２】
本発明の洗浄方法において、成分（Ａ）および（Ｂ）は室内で使用されることが多く、使用時の臭いが気になる場合がある。そのような場合には、上記に説明した洗浄用組成物に消臭剤、脱臭剤、防臭剤、芳香剤から選ばれた１種以上を含有させることが好ましい。それらを含有させることにより、洗浄作業における作業者の作業を快適にすることができる。消臭剤、脱臭剤、防臭剤、芳香剤として、有機系、無機系、植物系、バイオ系、洗剤系、更に部屋・トイレ・生ごみ・ペット・タバコ用、感覚的消臭、化学的消臭、物理的消臭、生物学的消臭など多くのものが知られているが、本発明の作業者の作業を快適にするものであれば全てのものが使用できる。市販品として、エステー化学、花王、小林製薬、エコム、環境浄化研究所など多くのメーカー等から提供されている。その中には、液状、スプレー状、微粉体状、固体状など種々の形状の製品があるが、本発明の溶剤に含有させて使用できるものであればどれでもよい。例えば、小林製薬からの市販品である「無香空間」（商品名）などが効果を発揮する。消臭剤、脱臭剤、防臭剤、芳香剤などは単独及びそれらを２種以上混合して用いることができる。また、消臭剤、脱臭剤、防臭剤、芳香剤などの溶剤への添加量は、本発明の目的が達成できる量であればよいが、好ましくは０．５〜１０％程度が使用される。
このほかに、更に任意成分として、顔料、着色剤、殺菌剤、防腐剤等を配合することができる。
【００１３】
本発明の洗浄方法は、成分（Ａ）及び成分（Ｂ）を水で希釈することなく又は成分（Ａ）および（Ｂ）の合計量１００重量部に対して１０重量部以下の水もしくは水および界面活性剤の混合液で希釈して、該洗浄用組成物を含有水分量が１０重量％以下の状態で被洗浄物に塗布する。含有水分量の好ましい範囲は０〜６重量％、より好ましい範囲は０〜２重量％である。本発明の洗浄に用いることの出来る界面活性剤としては、例えば三洋化成工業（株）製のイオネットＳ−２０、サンモリンＯＴ−７０、ニューポール５０ＨＢ−５５等が挙げられ、中でもイオネットＳ−２０が好ましい。水／界面活性剤の混合割合は８０重量部／２０重量部〜２０重量部／８０重量部が好ましく、中でも５０／５０が特に好ましい。
【００１４】
該洗浄用組成物を被洗浄物に塗布した後、浸透時間を置くことなく（時間的には３分以内が好ましく、より好ましくは１〜２分以内）湿潤状態のままワックス剥離装置でワックス等を剥離させることが好ましい。次いで、ワックス剥離装置として電気ポリッシャー、ローリングクリーナー、ハンディークリーナーおよびブラシ等から選ばれる１種以上で被洗浄物の表面をポリッシングしてワックス等を粉状で剥離させる。剥離した粉状物を床面から拭き取り、ワックス等を再塗布する。
ワックス等は粉状で剥離し、洗浄汚水の回収は不要となる。ワックスが粉状で剥離するかどうかが洗浄時間に大きく影響する。粉状での剥離の為には、本発明の成分（Ａ）及び成分（Ｂ）を用いることが必須である。成分（Ａ）の単独の使用では、合成樹脂ワックスは粉状で剥離することができず、成分（Ｂ）の単独の使用では合成樹脂ワックス等の剥離ができない。また、溶解性パラメータが８．０未満の溶剤と１０〜１５の溶解性パラメーターを持つ溶剤の両者を用いた場合も合成樹脂ワックス等の剥離が不十分で好ましくない。
【００１５】
本発明の洗浄方法は、ワックス等を塗布した被洗浄剤を洗浄する方法において広く使用することが出来る。本発明で用いるワックスとは、被洗浄剤に塗布されて皮膜を形成して表面の保護、滑り防止、艶出し、美観表現、傷つき防止などの機能を果たすものであり、例えば、住宅用叉は家具用ワックス、床用ワックス、床用樹脂仕上げ剤、フロアポリツシュなどとして多くの市販品が存在する。床用ワックスとしては、（株）リンレイ社のオールなどが市販されている。合成樹脂、天然油脂、その他の配合物を有機溶剤、水などに溶解、分解、または分散させたものがある。合成樹脂としては、アクリル系樹脂、ウレタン系樹脂、ポリオレフィン系樹脂など数多くの樹脂が使用されている。
【実施例】
【００１６】
本発明を実施例及び比較例に基づいて更に説明する。
［実施例１〜１０、比較例１〜６］
市販の合成樹脂ワックス（ビッグコート：商品名  （株）リスダンケミカル製）を４層塗布したホモジニアスビニル床タイル２平方メートル上に、表１〜３に示す溶解性パラメータが１０〜１５の範囲内のアルコール種と溶解性パラメータが８．５のリモネンからリモネン／アルコール混合溶剤組成物を調製し、水で希釈することなく（実施例３以外の実施例）及び洗浄用組成物１００重量部に水／界面活性剤（イオネットＳ−２０：商品名  三洋化成工業（株）製  ノニオン系界面活性剤）の１／１混合液１０重量部を加えて（実施例３）塗布した。実施例９は、実施例１で用いたリモネンを床に塗布した後にエタノールを塗布した。実施例１０は、実施例１のリモネンの代わりにキシレンを用いて同様に試験を行った。
【００１７】
比較例として市販の床用剥離剤（ボンバー：商品名  向島産商（株）製：アルカリ性・化学床材剥離用）又はリモネン／エタノール混合組成物（３３／６７）を水で５倍に希釈して塗布した。また、リモネン単独、エタノール単独、及び実施例１のリモネンに代えて溶解性パラメータが７．６のオクタンを用いた混合溶剤を、水に希釈することなく塗布した。次いで、電気ポリッシャーにて床をポリッシングして合成樹脂ワックス塗膜を剥離させた。実施例の場合は、ポリッシング後床にたまった粉状の剥離物を掃きとり、合成樹脂ワックスを再塗布した。比較例１の場合は、ポリッシング後に汚水を湿用掃除機で回収し、さらに、洗浄剥離剤の洗剤分を床に残さないようにモップで水拭きをした。床面を乾燥させた後、合成樹脂ワックスを再塗布した。比較例２の場合は汚水がほとんどないことから、ポリッシング後床にたまった粉状の剥離物を掃きとり、水拭き１回後合成樹脂ワックスを再塗布した。
【００１８】
実施例と比較例の作業性比較として、塗布時間、洗浄剤の浸透性（塗布後放置時間）、ポリッシャー使用時間、汚水回収の必要性、水拭作業の必要性、作業合計時間、を評価し、その結果を表１〜３に示した。
実施例１〜１０に示す本発明の洗浄用組成物を用いた洗浄方法は、市販の洗浄剥離剤を用いた洗浄方法に比べて、汚水回収の必要がなく、浸透性が良好で、水拭作業性の点で優れており、作業合計時間の短縮が可能な効率的な洗浄方法である。
また、特開２００４−０３５６５１号公報に記載の水希釈による方法（比較例２）に比べても塗布後の浸透時間短縮が可能で、作業合計時間が３割以上短縮できる効率的な方法である。
比較例３及び４に示すように、溶剤を単独で用いた場合には洗浄効果が良好でなく、本発明の２種の成分（Ａ）および（Ｂ）を用いる場合に優れた結果が得られることが分かる。
【００１９】
【表１】
2005319450.tif 000002
【００２０】
【表２】
2005319450.tif 000003
【００２１】
【表３】
2005319450.tif 000004
【産業上の利用可能性】
【００２２】
本発明の洗浄方法は、汚水回収の必要がなく、浸透性が良好で、水拭き作業性の点で優れており、作業合計時間の短縮が可能なことから、化学床タイル、石床等が施工されているコンビニエンスストア、スーパーマーケット、オフィスビル等の合成樹脂ワックス等が塗布されている床面の洗浄方法として大いに有用である。床面と同じく合成樹脂ワックス等が塗布された被洗浄物の洗浄方法としても使用できる。